(57)【特許請求の範囲】
【請求項１】
トラック車体に固定され、リアタイヤの最外側よりも１００ｍｍ以内にその長手方向両端が位置するように車幅方向にストレート状に延びると共に、閉断面で構成されたトラック用リア・アンダラン・プロテクタにおいて、
車両旋回時に前記トラック車体がロールした際、前記リア・アンダラン・プロテクタの車幅方向端部が路面と接触することを抑えるため、
前記トラック車体の後方から視て、閉断面で構成された前記リア・アンダラン・プロテクタの車幅方向端面の上端からの端面断面高さ１００ｍｍ以上離れた位置から、車幅方向内方に斜め下方に直線状に傾斜して、前記リア・アンダラン・プロテクタの下面にかけて形成された傾斜部を有し、
該傾斜部は、閉断面で構成された前記リア・アンダラン・プロテクタの車幅方向端の下部が下方に開放された形状であり、
前記トラック車体の後方から視て、
前記傾斜部の下端と、前記リア・アンダラン・プロテクタの下面と車幅方向端面との延長交点との距離が、７５ｍｍ以上２００ｍｍ以下、
前記傾斜部の上端と、前記延長交点との距離が、２０ｍｍ以上５５ｍｍ以下である、ことを特徴とするトラック用リア・アンダラン・プロテクタ。
【請求項２】
前記閉断面は、その端面断面高さｈが１００ｍｍ以上２５０ｍｍ以下のものであることを特徴とする請求項１に記載のトラック用リア・アンダラン・プロテクタ。
【請求項３】
リア・アンダラン・プロテクタ端末と端部下面にＬ字型に形成されたエンドキャップを下面以外の３面に固定具で固定することを特徴とする請求項１又は２に記載のトラック用リア・アンダラン・プロテクタ。
【発明の詳細な説明】
【技術分野】
【０００１】
本発明は、乗用車がトラックの後方から突入した場合にトラックの床下に突入することを防止するトラック用リア・アンダラン・プロテクタに関する。
【背景技術】
【０００２】
閉断面（横断面が閉じられた矩形）で構成されたトラック用リア・アンダラン・プロテクタは車両外側端面に、図１に示す様な樹脂製のエンドキャップ（黒で塗り潰した部分）１５を樹脂クリップ（図示せず）で装着することにより、その端面エッジの露出を防止している。
【０００３】
道路運送車両法第１８０条（突入防止装置）に定められたトラック用リア・アンダラン・プロテクタの外寸は、図２に示すように、その長手方向両端が後輪タイヤの最外側から１００ｍｍ以内の位置にある必要があり、断面高さ１００ｍｍ以上を確保する必要がある。
【０００４】
上記した長さを確保したリア・アンダラン・プロテクタは車両の長いオーバーハングの最後端に装着され、車両のピッチング（図２１参照）や車両が旋回する時のロール（図２２（ａ）参照）、特にピッチングとロールが同時に発生した場合にリア・アンダラン・プロテクタの端部下面が路面に接触して、エンドキャップ１５を破損することが多く、エンドキャップ１５が脱落した場合、エッジを露出させたまま走行することとなり、この状態は危険であり、外観上も好ましくない。特に低床車両ではエンドキャップ１５が脱落した車両が多く見られる。
【０００５】
この様にリア・アンダラン・プロテクタの端末が路面に接触し易い形状になっており、エンドキャップが脱落し易い理由は下記（１）〜（４）が主な理由である。
【０００６】
（１）道路運送車両法第１８０条（突入防止装置）に定められた規定荷重（図８）を満たす為の断面強度が必要である（即ち、補強を含め所定の高さが必要）こと。
【０００７】
（２）各種車両の各幅仕様に合わせてリア・アンダラン・プロテクタの長さを各種設定する必要があるので、それぞれの長さ別（２０５０〜２３３０ｍｍ）に金型を用意する場合、左右下端面を上方に向けて屈曲させて長さ別に金型を製作すると、莫大な投資が必要になる。これらの投資を抑制する必要上、金型はやや長めに設計されており端部を切断することで各長さに対応している。よって外寸としてはパイプ状の物も含め一定断面のリア・アンダラン・プロテクタしか製造されていない。
【０００８】
（３）規定荷重が高い中型以上のトラックは規定荷重（Ｐ１＝２０ｋｎ〜５０ｋｎ以上［２０１２年７月より改訂適用のため２倍化した値］）を満たす為に中央部に補強を必要とすることや後部反射板装着等の理由により、道路運送車両法第１８０条に規定された最低断面高さ１００ｍｍ丁度には製造されていない。
【０００９】
（４）前記のエンドキャップを上下の２点で固定しており（図２２（ｂ）参照）、リア・アンダラン・プロテクタ端面を路面に接触させた場合に、下側の固定具が破損することがある。
【００１０】
よって現状は、道路運送車両法第１８０条に規定された保安基準を満足する長さ、強度を持つ一定断面のリア・アンダラン・プロテクタでも１００ｍｍ以上の断面高さを有し、走行した場合にはその端面を路面に接触させてエンドキャップ１５を破損する可能性が高く、実際にエンドキャップ１５を脱落させたままの車両が多数見られる。
【００１１】
リア・アンダラン・プロテクタの端面が路面に接触しても良い発明として、リア・アンダラン・プロテクタに障害物（路面）が接触した時に上方に回避できる様な傾斜角度に屈曲させた面をリア・アンダラン・プロテクタの前後左右の端に備えると共に、後ろ面から見て前面になる方に立面を備え、さらに、その下面の前後幅を少なくともタイヤ幅とし、上下動を可能にした提案がされている（例えば、特許文献１参照。）。
【００１２】
この発明は、予めアンダラン・プロテクタが障害物（路面）に接触することを想定している技術であり、断面を見ると（特許文献１の図１４等参照）前後左右の端にある屈曲させた面を持つ部分が下側の障害物を回避する部分に、立面が閉断面となり、立面が本来のアンダラン・プロテクタの機能である潜り込み防止の為の荷重を受ける部分となっている。そのため断面は非常に大きくなり、下面前後幅を普通トラックのタイヤ幅とすると２００ｍｍから３００ｍｍ＋立面の幅が必要となっている。
【００１３】
又この種の障害物を回避する可動タイプのアンダラン・プロテクタは他にも発明されているが、そもそも道路運送車両法第１８０条に規定された、突入防止装置とは、乗用車がトラックの後部に衝突した際に、乗用車がトラックの下に潜り込むことを防止し、乗用車乗員の安全を目的に設定されている装置をいい、規定の荷重要件を満足する必要がある。
【００１４】
トラックの積載性能を低下させずに、規定の荷重を満たす為には最小限の質量で規定荷重を満たす必要があり、可動するタイプで規定荷重を満たすためには重いプロテクタとステイを必要とすることからも、現在可動するタイプの実績は非常に少ない。
【００１５】
本発明は、上下に動作するタイプではなく、固定されたリア・アンダラン・プロテクタを路面に接触しにくくするタイプの発明であり、リア・アンダラン・プロテクタの断面は先願例（上記した特許文献１に記載の発明）の立面に相当する部分のみで構成される。その断面幅は小中型トラックでは５０ｍｍ以下、大型トラックでも１２０ｍｍ以下である。
【００１６】
また、本発明はリア・アンダラン・プロテクタの左右下端を道路運送車両法第１８０条に規定された保安基準の規定荷重を満たす範囲で切断するものであり、屈曲させた面ではない。端面のエッジ露出を防止する為のエンドキャップを装着し、そのエンドキャップは傾斜した面を形成するものの、エンドキャップ自体がリア・アンダラン・プロテクタの強度に影響するものではなく、高強度のプラスチックでもない。エッジの露出による危険を防止する為のものである。本発明は最少の断面、最少の質量、最少の価格で保安基準の規定荷重に対応し、リア・アンダラン・プロテクタ端末を路面に接触しにくくするものである。
【先行技術文献】
【特許文献】
【００１７】
【特許文献１】特許第４２４４０４８号公報
【発明の概要】
【発明が解決しようとする課題】
【００１８】
本発明者は、道路運送車両法第１８０条に規定されたＰ１荷重位置（加圧子の幅）とトラック用リア・アンダラン・プロテクタの幅の関係について解釈を深めると共に、構造解析を利用して応力の分布を観察することにより鋭意研究を重ね、規定荷重を満足した上でトラック用リア・アンダラン・プロテクタの端末を変化させて、車両（トラック）がロールやピッチングしても路面と接触しにくくて破損しにくい軽量なトラック用リア・アンダラン・プロテクタを低価格・低投資で提供できることを考え出した。
【００１９】
本発明は、上記事情に鑑み、道路運送車両法第１８０条に規定された規定荷重を満足すると共に、車両（トラック）がロールやピッチングしても路面と接触しにくくて破損しにくい軽量なトラック用リア・アンダラン・プロテクタを低価格・低投資で提供することを目的とする。
【課題を解決するための手段】
【００２０】
上記目的を達成するための本発明のトラック用リア・アンダラン・プロテクタは、トラック車体に固定され、リアタイヤの最外側よりも１００ｍｍ以内にその長手方向両端が位置するように車幅方向にストレート状に延びると共に、閉断面で構成されたトラック用リア・アンダラン・プロテクタにおいて、車両旋回時に前記トラック車体がロールした際、前記リア・アンダラン・プロテクタの車幅方向端部が路面と接触することを抑えるため、前記トラック車体の後方から視て、閉断面で構成された前記リア・アンダラン・プロテクタの車幅方向端面の上端からの端面断面高さ１００ｍｍ以上離れた位置から、車幅方向内方に斜め下方に直線状に傾斜して、前記リア・アンダラン・プロテクタの下面にかけて形成された傾斜部を有し、該傾斜部は、閉断面で構成された前記リア・アンダラン・プロテクタの車幅方向端の下部が下方に開放された形状であり、前記トラック車体の後方から視て、前記傾斜部の下端と、前記リア・アンダラン・プロテクタの下面と車幅方向端面との延長交点との距離が、７５ｍｍ以上２００ｍｍ以下、前記傾斜部の上端と、前記延長交点との距離が、２０ｍｍ以上５５ｍｍ以下であることを特徴とするものである。
【００２１】
ここで、前記閉断面は、その端面断面高さｈが１００ｍｍ以上２５０ｍｍ以下のものであることが好ましい。
【００２２】
また、リア・アンダラン・プロテクタ端末と端部下面にＬ字型に形成されたエンドキャップを下面以外の３面に固定具で固定することが好ましい。
【発明の効果】
【００２３】
本発明によれば、成形により左右端を上方に屈曲させて形成する形状とは違い、予め所定の外寸に抜き型で抜いた板を曲げて溶接することにより、低投資で、車両（トラック）の各幅（車幅）仕様に合わせた長さに対応し、道路運送車両法第１８０条の保安基準に規定された規定荷重を満たし、最も路面と接触し易いトラック用リア・アンダラン・プロテクタ外側端末の下面を背面視で三角形に切断した形状に、形成することが出来る。
【００２４】
また、トラック用リア・アンダラン・プロテクタの長手方向両端部の不要な部分（荷重を負荷したときの低応力部分）が削除されることにより１〜２％（アンダランプロテクタの質量比）の軽量化効果を奏する。
【図面の簡単な説明】
【００２５】
【図１】従来のトラック用リア・アンダラン・プロテクタが固定されたトラックを後方から視た背面図である。
【図２】従来のトラック用リア・アンダラン・プロテクタが固定されたトラックを後方から視た背面図である。
【図３】従来のトラック用リア・アンダラン・プロテクタが固定されたトラックを後方から視た背面図である。
【図４】道路運送車両法第１８０条に定められた荷重を加える為の加圧子Ｐの寸法を示す背面図である。
【図５】Ｐ１荷重を加える加圧子Ｐの幅を最大の２００ｍｍとした場合、加圧子Ｐの一端からリア・アンダラン・プロテクタ端末までの寸法を示す背面図である。
【図６】トラック用リア・アンダラン・プロテクタ１４（従来のタイプであり、閉断面の断面高さ１２０ｍｍとした）をステイ１６に固定して、その荷重中心Ｐ１に荷重を負荷した様子を示す模式図である。
【図７】トラック用リア・アンダラン・プロテクタ１４（従来のタイプであり、閉断面の断面高さ１２０ｍｍとした）をステイ１６に固定して、その荷重中心Ｐ１に荷重を負荷した時の加圧子Ｐの外側領域（長手方向端部側領域）の応力を解析する様子を示す模式図である。
【図８】道路運送車両法第１８０条で規定された荷重位置Ｐ１、Ｐ２、Ｐ３を示す背面図である。
【図９】本願発明のトラック用リア・アンダラン・プロテクタの一例を示す斜視図であり、（ａ）は、トラック車体に固定されたトラック用リア・アンダラン・プロテクタを示す斜視図、（ｂ）は、トラック用リア・アンダラン・プロテクタの長手方向一端部を示す斜視図である。
【図１０】本願発明のトラック用リア・アンダラン・プロテクタの一例を示す４面図であり、（ａ）は底面図、（ｂ）は背面図（正面図も同じ）、（ｃ）は上面図、（ｄ）は左側面図（右側面図も同じ）である。
【図１１】断面高さ１２０ｍｍをもつトラック用リア・アンダラン・プロテクタ２０を背面視から見て（後方から視て）長手方向一端の上面から端面断面高さ１００ｍｍ離れた位置を頂点とし、同じく長手方向一端の下面を１００ｍｍの底辺とする三角形状に相当する部分が切断された切断部分Ｃを切断する前と切断後のＰ１荷重の解析結果を比較したものである。
【図１２】トラックの前後に分割した構成にして貼り合せた構造のトラック用リア・アンダラン・プロテクタを示す（ａ）は、長手方向中央部分の横断面図であり、（ｂ）は長手方向一端部の斜視図である。
【図１３】トラックの上下に分割した構成にして貼り合せた構造のトラック用リア・アンダラン・プロテクタを示す（ａ）は、長手方向中央部分の横断面図であり、（ｂ）は長手方向一端部の斜視図である。
【図１４】パイプ状の押し出し品で製造したトラック用リア・アンダラン・プロテクタの長手方向一端部を示す斜視図である。
【図１５】図１２に示すトラックの前後に分割した構造のトラック用リア・アンダラン・プロテクタ２０の切断面と、この切断面を覆うエンドキャップを示す斜視図である。
【図１６】トラック用リア・アンダラン・プロテクタを後方から視た背面図である。
【図１７】寸法Ａ（加圧子Ｐの端部からリア・アンダラン・プロテクタ端末までの寸法）を国内最少の１０６ｍｍとし、断面高さＨ＝１２０ｍｍのリア・アンダラン・プロテクタ４０一端部の上面から端面断面高さｈ＝１００ｍｍの（１００ｍｍ離れた）位置を頂点とし下面を底辺Ｂ＝７５ｍｍの三角形状Ｃ１で切断したときのトラック用リア・アンダラン・プロテクタ４０の右側端末背面視を示す。
【図１８】寸法Ａ（加圧子Ｐの端部からリア・アンダラン・プロテクタ端末までの寸法）を国内最少の１０６ｍｍとし、断面高さＨ＝１５５ｍｍのリア・アンダラン・プロテクタ４０一端部の上面から端面断面高さｈ＝１３５ｍｍの位置を頂点として下面を底辺Ｂ＝７５ｍｍの三角形状Ｃ２で切断したときのトラック用リア・アンダラン・プロテクタ５０の右側端末背面視を示す。
【図１９】寸法Ａ（加圧子Ｐの端部からリア・アンダラン・プロテクタ端末までの寸法）を国内最少の１０６ｍｍとし、断面高さＨ＝１５５ｍｍのリア・アンダラン・プロテクタ４０一端部の上面から端面断面高さｈ＝１００ｍｍの（１００ｍｍ離れた）位置を頂点として下面を底辺Ｂ＝７５ｍｍの三角形状Ｃ３で切断したときのトラック用リア・アンダラン・プロテクタ５０の右側端末背面視を示す。
【図２０】（ａ）は、トラックが静止時または平坦な道路を走行時のリア・アンダラン・プロテクタを示す背面図であり、（ｂ）は、トラックが旋回時または凹凸のある路面などを走行時のリア・アンダラン・プロテクタを示す背面図である。
【図２１】前後に揺れているトラックを示す模式図である。
【図２２】（ａ）はトラックが旋回時のリア・アンダラン・プロテクタを示す背面図である。（ｂ）は現状のエンドキャップ固定方法を示す斜視図である。
【発明を実施するための形態】
【００２６】
本発明は、貨物の運送に供する自動車（トラック）であって、この自動車に後方から他の自動車（乗用車など）が追突した場合に追突した自動車の車体前部が突入することを防止できるトラック用リア・アンダラン・プロテクタ（突入防止装置）に実現された。
【実施例１】
【００２７】
図１を参照して、道路運送車両法第１８０条の保安基準に規定された規定荷重Ｐ１の位置を説明する。
【００２８】
図１は、従来のトラック用リア・アンダラン・プロテクタが固定されたトラックを後方から視た背面図である。
【００２９】
図１に示されるように、トラック１０の後輪１２には通常２本のタイヤが１組となって取り付けられており、道路運送車両法第１８０条に定められた車両最外側の荷重中心Ｐ１の位置はタイヤ最外側から３００±２５ｍｍである。なお、トラック用リア・アンダラン・プロテクタ１４は、本願発明のものではなく、従来のものを示している。
【００３０】
図２を参照して、道路運送車両法第１８０条の保安基準に規定されたトラック用リア・アンダラン・プロテクタのサイズと固定位置を説明する。
【００３１】
図２は、従来のトラック用リア・アンダラン・プロテクタが固定されたトラックを後方から視た背面図である。
【００３２】
図２に示すように、トラック用リア・アンダラン・プロテクタ１４の外寸はタイヤ最外側１２ａから１００ｍｍ以内、断面高さｈは１００ｍｍ以上と定められている。なお、トラック用リア・アンダラン・プロテクタ１４は、本願発明のものではなく、従来のものを示している。
【００３３】
図３を参照して、上記の図１と図２で示した結果から荷重中心Ｐ１からトラック用リア・アンダラン・プロテクタの端末までの寸法を説明する。
【００３４】
図３は、従来のトラック用リア・アンダラン・プロテクタが固定されたトラックを後方から視た背面図である。
【００３５】
荷重中心Ｐ１からトラック用リア・アンダラン・プロテクタの端末までの距離は、（図１に示す）３００ｍｍ−（図２に示す）１００ｍｍ以内＝２００ｍｍ以上３００ｍｍ以内となる。道路運送車両法第１８０条に定められた荷重を加える為の加圧子Ｐの寸法は、図４に示すように、幅が２００ｍｍ以内、高さが２５０ｍｍ以内に規定されているので、図３と図４を参照して説明した内容からＰ１荷重を加える加圧子Ｐの幅を最大の２００ｍｍとした場合、図５に示すように、加圧子Ｐの一端からリア・アンダラン・プロテクタ端末までの寸法は１００ｍｍ以上２００ｍｍ以内±２５ｍｍとなる。ここで、±２５ｍｍは荷重位置の公差である。なお、トラック用リア・アンダラン・プロテクタ１４は、本願発明のものではなく、従来のものを示している。
【００３６】
そこで、図６及び図７に示すように、トラック用リア・アンダラン・プロテクタ１４（従来のタイプであり、閉断面の断面高さ１２０ｍｍとした）をステイ１６に固定して、Ｐ１荷重を負荷した時の加圧子Ｐの外側領域（長手方向端部側領域）の応力を解析した。この解析の結果、図７に示す加圧子の外側領域には高応力が発生していないことが確認された。図中の濃淡は、応力分布を表す。
【００３７】
図８に道路運送車両法第１８０条で規定された荷重位置Ｐ１、Ｐ２、Ｐ３を示す。これらの荷重位置Ｐ２、Ｐ３にも、同様に荷重を負荷して上記の外側領域の応力を解析した。この解析の結果、Ｐ１荷重加圧子外側領域には高応力は発生していないことが確認された。なお、全ての荷重負荷において、リア・アンダラン・プロテクタ１４の長手方向中央部閉断面内には十分な補強がされている。（図示せず）
【００３８】
図９を参照して、本願発明のトラック用リア・アンダラン・プロテクタを説明する。
【００３９】
図９は、本願発明のトラック用リア・アンダラン・プロテクタの一例を示す斜視図であり、（ａ）は、トラック車体に固定されたリア・アンダラン・プロテクタを示す斜視図、（ｂ）は、リア・アンダラン・プロテクタの長手方向一端部を示す斜視図である。なお、図中の濃淡は応力分布を表す。
【００４０】
上記した加圧子Ｐの外側領域の解析結果に基づいて、図９に示すように、断面高さ１２０ｍｍをもつトラック用リア・アンダラン・プロテクタ２０の長手方向一端部を背面視から見て（後方から視て）上面から端面断面高さ１００ｍｍ離れた位置を頂点として下面を底辺１００ｍｍとする三角形状に相当する切断部分Ｃを形成してＰ１荷重の解析を実施した。この解析結果を図１１に示す。図１１に示すように、Ｐ１荷重の低下はまったく見られなかった。図１１に示す実験では、加圧子Ｐの端から本願発明のトラック用リア・アンダラン・プロテクタ２０の端までの寸法は１２３ｍｍである。
【００４１】
以上の結果から、トラック１０（図１等参照）のリアタイヤ１２（図１等参照）の最外側よりも１００ｍｍ以内にその長手方向両端が位置するように延びると共に、閉断面で構成されたトラック用リア・アンダラン・プロテクタ２０では、このトラック１０の後方から視て、長手方向（トラックの幅方向）一端の上面から端面断面高さ１００ｍｍ離れた位置を頂点として下面を底辺１００ｍｍとする三角形状に相当する切断部分をその長手方向両端部に有するトラック用リア・アンダラン・プロテクタを使用しても道路運送車両法第１８０条に規定された荷重位置Ｐ１、Ｐ２、Ｐ３における加圧荷重に耐えることが判明した。又さらに断面高さの高いリア・アンダラン・プロテクタのＰ１荷重解析結果での加圧子外側の応力も加圧子接触部よりはるかに低く、前記の三角形に相当する部分の三角形状の高さをさらに拡大しても、また三角形状の底辺長さを加圧子外端から長手方向一端の範囲で拡大しても前記のＰ１、Ｐ２、Ｐ３の荷重に耐えることは構造解析の応力分布動画観察から判断できる。
【００４２】
上記したトラック用リア・アンダラン・プロテクタ２０のようにその長手方向両端部において、道路運送車両法第１８０条に定められた最外荷重（Ｐ１）の加圧子端から外側の下部をトラック１０の背面から視て三角形に切断した形状に形成し、端面断面高さを１００ｍｍ以上確保した形状であれば、成形により左右端を上方に屈曲させて形成する形状とは異なり、予め所定の外寸に抜き型で抜いた板を曲げて溶接することにより、低投資で、車両の各幅仕様に合わせた長さに対応し、道路運送車両法第１８０条の規定を満たし、最も路面と接触し易いリア・アンダラン・プロテクタ２０の外側端末の下面を背面視で三角形に切断した形状に、形成することが出来る。
【００４３】
図１２は、トラックの前後に分割した構成にして貼り合せた構造のトラック用リア・アンダラン・プロテクタを示す（ａ）は、長手方向中央部分の横断面図であり、（ｂ）は長手方向一端部の斜視図である。
【００４４】
図１３は、トラックの上下に分割した構成にして貼り合せた構造のトラック用リア・アンダラン・プロテクタを示す（ａ）は、長手方向中央部分の横断面図であり、（ｂ）は長手方向一端部の斜視図である。
【００４５】
図１２、図１３のいずれにしても、その横断面は、閉断面であり、その断面高さｈが１００ｍｍ以上２５０ｍｍ以下のものであることが好ましい。
【００４６】
図１４は、パイプ状の押し出し品で製造したトラック用リア・アンダラン・プロテクタの長手方向一端部を示す斜視図であり、その下面を背面視で三角形状に切断した形状に切断して切断部を形成することにより強度を確保しても道路運送車両法第１８０条の規定を満たすことが出来る。横断面が閉断面であり、その断面高さｈが１００ｍｍ以上２５０ｍｍ以下のものであることが好ましい点は同じである。
【００４７】
図１５を参照して、トラック用リア・アンダラン・プロテクタの長手方向両端の切断部分を覆うエンドキャップについて説明する。
【００４８】
図１５では，図１２に示すトラックの前後に分割した構造のトラック用リア・アンダラン・プロテクタ２０の切断面を覆うエンドキャップについて説明するが、他の構造のトラック用リア・アンダラン・プロテクタの切断面であっても同じである。
【００４９】
本願発明のエンドキャップ３０は、切断部分の断面（切断面）２２に倣った形状であって、この切断面２２で囲まれて形成された穴２２ａを塞ぐようにＬ字状になっており、切断面２２を覆う形状である。また、このエンドキャップ３０は、トラック用リア・アンダラン・プロテクタ２０の上面２０ａ及び両側面２０ｂ、２０ｂに樹脂クリップ（本願発明にいう固定具の一例である）２４で固定される。トラック用リア・アンダラン・プロテクタ２０の下面２０ｃには、樹脂クリップでエンドキャップ３０は固定されていない。従って、トラック用リア・アンダラン・プロテクタ２０のうち路面に接触し易い下面２０ｃ以外の３面に３点以上の樹脂クリップで固定する構成としたので、たとえ下面が路面に接触したとしても固定具が破壊されることはなく、エンドキャップ３０の脱落を抑制できることとなる。
【００５０】
図１６を参照して、切断される三角形状の切断部分Ｃのサイズについて説明する。
【００５１】
図１６は、トラック用リア・アンダラン・プロテクタを後方から視た背面図であり、加圧子Ｐを模式的に表している。
【００５２】
本願発明でいうリア・アンダラン・プロテクタ端面の断面高さｈは道路運送車両法第１８０条の規定による保安基準で必要とされる断面高さ１００ｍｍ以上を確保する必要があるので、三角形状の切断部分Ｃの頂点はリア・アンダラン・プロテクタ長手方向一端の上面から１００ｍｍ以上の位置となる。
【００５３】
Ｐ１荷重を低下させることなく切断部分Ｃを切断するにあたり、加圧子Ｐの端（一部）が切断する三角形状の切断部分Ｃに重複しない様にする必要がある。よって三角形の底辺寸法Ｂは最大でＰ１荷重の加圧子Ｐ（幅を最大の２００ｍｍとした場合）の外端から長手方向端までのＡ寸法となる。前記図５に示す様に道路運送車両法第１８０条の保安基準規定値を加算した時のＡ寸法は１００ｍｍ以上２００ｍｍ以下なので、三角形状の切断部分Ｃの底辺Ｂ寸法最大値は２００ｍｍである。さらに実際のＡ寸法がいくつか、現在国内で発売されているトラックのタイヤ最外側寸法、リア・アンダラン・プロテクタ幅の寸法を調査した。この結果、加圧子Ｐの端部から、リア・アンダラン・プロテクタの端末までの寸法Ａは、１０６ｍｍから１８０ｍｍの範囲内であった。国内で発売されているトラックのリア・アンダラン・プロテクタは道路運送車両法第１８０条の保安基準に適合している。
部品としてより多くの車両に適応する為には図１５のＬ寸法で加圧子と三角形の切断部分Ｃの距離に余裕をとる必要がある。Ａ寸法が最少の１００ｍｍの場合に前記の荷重位置の公差が２５ｍｍずれたとすると、Ｂ寸法を７５ｍｍ、Ｌ寸法を２５ｍｍとすることで、実際のＡ寸法が１００ｍｍ＋αの車両でＬ寸法を２５ｍｍ＋αとすることができ、多くの車両に適応することが出来る。
【００５４】
図１７は、寸法Ａ（加圧子Ｐの端部からリア・アンダラン・プロテクタ端末までの寸法）を国内最少の１０６ｍｍとし、断面高さ１２０ｍｍのリア・アンダラン・プロテクタ４０の端面断面高さｈ＝１００ｍｍの位置に頂点をもつ底辺Ｂ＝７５ｍｍの三角形状で切断したときのトラック用リア・アンダラン・プロテクタ４０の右側端末背面視を示す。切断部分の三角形状を図１７に示す形状Ｃ１にしても所望の効果が得られた。
【００５５】
図１８は、寸法Ａ（加圧子Ｐの端部からリア・アンダラン・プロテクタ端末までの寸法）を国内最少の１０６ｍｍとし、断面高さ１５５ｍｍのリア・アンダラン・プロテクタ４０の端面断面高さｈ＝１３５ｍｍの位置に頂点をもつ底辺Ｂ＝７５ｍｍの三角形状で切断したときのトラック用リア・アンダラン・プロテクタ５０の右側端末背面視を示す。切断部分の三角形状を図１８に示す形状Ｃ２にしても所望の効果が得られた。
【００５６】
図１９は、寸法Ａ（加圧子Ｐの端部からリア・アンダラン・プロテクタ端末までの寸法）を国内最少の１０６ｍｍとし、断面高さ１５５ｍｍのリア・アンダラン・プロテクタ４０の端面断面高さｈ＝１００ｍｍの位置に頂点をもつ底辺Ｂ＝７５ｍｍの三角形状で切断したときのトラック用リア・アンダラン・プロテクタ６０の右側端末背面視を示す。切断部分の三角形状を図１９に示す形状Ｃ３にしても所望の効果が得られた。
【００５７】
上記した所望の効果について、図２０、図２１を参照して説明する。
【００５８】
図２０（ａ）は、トラックが静止時または平坦な道路を走行時のリア・アンダラン・プロテクタを示す背面図であり、（ｂ）は、トラックが旋回時または凹凸のある路面などを走行時のリア・アンダラン・プロテクタを示す背面図である。図２１は、前後に揺れているトラックを示す模式図である。
【産業上の利用可能性】
【００５９】
本願発明では、トラック用リア・アンダラン・プロテクタ４０の長手方向両端部に、トラック１０の後方から視て、その長手方向一端の上面からの端面断面高さ１００ｍｍ以上離れた位置を頂点とし、同じく長手方向一端の下面が２００ｍｍ以内の底辺となる、三角形状に切断された切断部分をその長手方向両端部に有するので、この切断部分の断面に倣った形状のエンドキャップ３０でこの断面を覆った場合、トラック１０が図２０（ｂ）に示すようにロールしても、ロール角に対する路面との角度に余裕が出来て、車両１０がロールした場合のリア・アンダラン・プロテクタ４０の端面４０ｅが路面と接触することを防止することが出来る。この結果、エンドキャップ３０の破損などを防止できる。このような防止と同時に端面の不要な部分（荷重負荷時の低応力部）が削除されることによるトラック１０全体の軽量化を図ることができる。
【符号の説明】
【００６０】
１０  トラック
２０  リア・アンダラン・プロテクタ
３０  エンドキャップ
４０  リア・アンダラン・プロテクタ
Ｃ  切断部分
【図１】
0005854416.tif 000002
【図２】
0005854416.tif 000003
【図３】
0005854416.tif 000004
【図４】
0005854416.tif 000005
【図５】
0005854416.tif 000006
【図８】
0005854416.tif 000007
【図１０】
0005854416.tif 000008
【図１１】
0005854416.tif 000009
【図１２】
0005854416.tif 000010
【図１３】
0005854416.tif 000011
【図１４】
0005854416.tif 000012
【図１５】
0005854416.tif 000013
【図１６】
0005854416.tif 000014
【図１７】
0005854416.tif 000015
【図１８】
0005854416.tif 000016
【図１９】
0005854416.tif 000017
【図２０】
0005854416.tif 000018
【図２１】
0005854416.tif 000019
【図２２】
0005854416.tif 000020
【図６】
0005854416.tif 000021
【図７】
0005854416.tif 000022
【図９】
0005854416.tif 000023